(57)【特許請求の範囲】
【請求項１】
物品を一端側の出入口から出し入れするケースと、前記ケース内に前後摺動可能に配置され前記出入口から挿入される前記物品でケース後方へ押し込め摺動されるスライダーと、前記スライダーを物品の抜き出し方向へ付勢する付勢手段と、前記スライダーを物品収納位置で解除可能に係止するラッチ手段とを備えている収納装置おいて、
前記ケースは前後に延設されたガイド溝と、ケース内に突設されたばね用掛止突起とを有し、
前記スライダーは本体及び前記本体の前側に設けられた挟持部からなり、前記本体の上壁より下側に設けられた軸部と、前記本体の上壁に突設されたばね用掛止突起とを有して、前記ケースに対し前記ガイド溝に沿って前後摺動可能、かつ前記軸部を支点として該摺動方向と略交差する上下方向に揺動して前記物品を前記挟持部と前記ケースの対応内面部との間に挟持可能となるよう組み込まれており、
前記付勢手段は捻りコイルばね又は圧縮コイルばねからなり、一端を前記ケース側掛止突起に係止し、他端を前記スライダー側係止突起に係止した状態で、前記スライダーのケース後方への摺動に伴って該スライダーを前方へ押圧する押出用付勢力、及び前記スライダーを揺動して前記挟持部と前記ケースの対応内面部との間に前記物品を挟持する挟持用付勢力を増大可能になっていることを特徴とする収納装置。
【請求項２】
前記ラッチ手段は、前記スライダーに設けられたピンと、前記ケース側に揺動可能に設けられて前記ピンがトレースする旋回溝を形成しているカム部材とからなり、前記スライダーを物品収納位置で係止した状態から、該係止を、前記物品の更なる挿入方向への押し操作により解除するプッシュ・プッシュ係止機構からなる請求項１に記載の収納装置。
【発明の詳細な説明】
【技術分野】
【０００１】
本発明は、例えば、自動車等の車室内に取り付けられてカード等の物品をケース内に出し入れする収納装置に関する。
【背景技術】
【０００２】
車室内には、各種の収納装置が設けられており、そのなかで、ドライバーが専ら使用する収納装置としては、例えば、インストルメントパネルだとステアリングの近くに設けられている。図５及び図６はその従来例として特許文献１の構造を示している。同図の収納装置（カードホルダー）は、カード６０を一端側の出入口から出し入れするケース（ホルダー本体）５０と、ケース５０内に前後摺動可能に配置され挿入されるカード６０でケース後方へ押し込め摺動されるスライダー５１と、スライダー５１を物品の抜き出し方向へ付勢する不図示の付勢手段（コイルスプリング）と、スライダー５１を物品収納位置で解除可能に係止するラッチ手段５３と、ケース５０内に挿入されるカード６０に対向するように設けられるプレート５４と、カード６０を押さえるようプレート５４を付勢する付勢部材（板ばね）５５などを備え、インストルメントパネル６１に対しケース５０の前側の出入口を車室内に露出した状態でパネル内に水平に埋め込まれた状態に装着されている。また、ラッチ手段５６は、ケース５０の後側に揺動可能に支持されたピン（レバー）５６と、スライダー５１に設けられてピン５６がトレースする旋回溝付きのカム部５７とからなる。
【０００３】
以上の収納装置では、カード６０をケース５０内に挿入して押し込むと、カード６０の対応端側でスライダー５１を押して後方へ摺動し、カード６０が収納位置に達すると、スライダー５１がラッチ手段５６により係止される。カード６０を再び押し込んで手を離すと、前記係止が解除され、スライダー５１が付勢手段５２の付勢力により前方へ摺動され、該摺動によりカード６０も引き抜き可能な突出位置まで移動される。また、カード６０は、収納位置において付勢部材５５で付勢されたプレート５４に押接されて保持される結果、走行振動が加わってもカード６０のガタ付き等を防止できる。
【特許文献１】特許第３３１３９２４号公報
【発明の開示】
【発明が解決しようとする課題】
【０００４】
上記特許文献１の構造では、カード６０を突出位置まで移動する押出用スライダー５１及びスライダー５１に作用するラッチ手段５３並びに不図示の付勢手段に加え、カード６０を上から押接してガタ付きを防ぐ保持用プレート５４と、前記付勢手段以外にプレート５４に作用する付勢部材５５とを必須としているため複雑で高価になる。また、この構造では、カード６０がケース５０内で付勢部材５５で付勢されたプレート５４により押接されて保持されるが、そのカード保持力がカード６０の位置に関係なく一定であることに起因して、例えば、付勢部材５５の付勢力を大きくすると、カード６０を引き抜きづらくなるためカード保持力を増大できない。
【０００５】
本発明の目的は、以上のような課題を解消し、特に部品数を減少してコスト低減を可能にしたり、カード等の物品保持力を増大しても引き抜き操作性を損なわないようにした収納装置を提供することにある。
【課題を解決するための手段】
【０００６】
上記目的を達成するため本発明は、物品を一端側の出入口から出し入れするケースと、前記ケース内に前後摺動可能に配置され前記出入口から挿入される前記物品でケース後方へ押し込め摺動されるスライダーと、前記スライダーを物品の抜き出し方向へ付勢する付勢手段と、前記スライダーを物品収納位置で解除可能に係止するラッチ手段とを備えている収納装置おいて、前記ケースは前後に延設されたガイド溝と、ケース内に突設されたばね用掛止突起とを有し、
前記スライダーは本体及び前記本体の前側に設けられた挟持部からなり、前記本体の上壁より下側に設けられた軸部と、前記本体の上壁に突設されたばね用掛止突起とを有して、前記ケースに対し前記ガイド溝に沿って前後摺動可能、かつ前記軸部を支点として該摺動方向と略交差する上下方向に揺動して前記物品を前記挟持部と前記ケースの対応内面部との間に挟持可能となるよう組み込まれており、前記付勢手段は捻りコイルばね又は圧縮コイルばねからなり、一端を前記ケース側掛止突起に係止し、他端を前記スライダー側係止突起に係止した状態で、前記スライダーのケース後方への摺動に伴って該スライダーを前方へ押圧する押出用付勢力、及び前記スライダーを揺動して前記挟持部と前記ケースの対応内面部との間に前記物品を挟持する挟持用付勢力を増大可能になっていることを特徴としている。
【０００７】
以上の本発明において、前記ラッチ手段は、前記スライダーに設けられたピンと、前記ケース側に揺動可能に設けられて前記ピンがトレースする旋回溝を形成しているカム部材とからなり、前記スライダーを物品収納位置で係止した状態から、該係止を、前記物品の更なる挿入方向への押し操作により解除するプッシュ・プッシュ係止機構からなるなること（請求項２）が好ましい。
【発明の効果】
【０００８】
・請求項１の発明では、スライダーが前方へ摺動つまり物品押出用として機能し、かつ、揺動してケースの対応内面部との間にカードを挟持つまり物品保持用として機能するため部材数を減らして簡素化し易くなる。また、付勢手段がスライダーのケース後方への摺動に伴って押出用付勢力及び挟持用付勢力を増大するため、例えば、挟持用付勢力を増大しても、物品を突出位置で引き抜くときに過大な負荷を受けず引き抜き操作性を良好に維持できる。また、この発明では、スライダーが軸部を有し、該軸部をケース側ガイド溝に嵌合した状態で前後へ摺動したり、軸部を支点として揺動することで、物品押出用及び物品保持用として良好な作動を維持できる。
・請求項２の発明では、プッシュ・プッシュ係止機構の利点、つまり係止と係止解除を共に物品の挿入方向への押し操作により行えるため操作性に優れ、解除用レバー部材等を必要とないため簡略化し易い。
【発明を実施するための最良の形態】
【０００９】
（概要）形態例の収納装置は、主部材がカード等の板状物品Ｃを一端側の出入口から出し入れするケース１と、ケース１内に前後摺動可能に配置されたスライダー２と、スライダー２を物品収納位置で解除可能に係止するラッチ手段３と、スライダー２を物品Ｃの抜き出し方向へ付勢する付勢手段４とからなり、図３（ａ）のごとくインストルメントパネル５などに対しケース１の前側の出入口１ａを車室内に露出した状態でパネル内に水平に埋め込まれた状態に装着される。また、要部構造は、スライダー２がケース１に対し前後摺動可能かつ該摺動方向と略交差する上下方向に揺動して物品Ｃをケース１の対応内面部との間に挟持可能に組み込まれる点、ラッチ手段３がスライダー２に設けられたピン２４、及びケース１側に揺動可能に設けられてピン２４がトレースする旋回溝３２を形成しているカム部材３０からなる点、付勢手段４がスライダー２のケース後方への摺動に伴ってスライダー２を前方へ押圧する押出用の付勢力、及びスライダー２を揺動してスライダー２とケース１の対応内面部との間に物品Ｃを挟持する挟持用の付勢力を次第に増大するようにした点にある。細部は以下の通りである。
【００１０】
（構造）ケース１は、図１及び図２に示されるように、上側開放した本体１０及び該本体１０の上側をほぼ塞ぐ上蓋１８で構成され、スライダー２と、付勢手段４と、ラッチ手段３を構成しているカム部材３０とをケース内に配置した状態でカードなどの物品Ｃを前側の出入口１ａから出し入れする偏平容器状となっている。本体１０及び上蓋１８は、それぞれ樹脂成形体であり、不図示のねじ等で一体化される。但し、上蓋１８は、本体１０の上側をほぼ塞ぐ形状であればよく、外面に取付片などが必要に応じ付設される。また、上蓋１８は本体１０に一体的に形成してもよい。なお、図３及び図４の各（ｂ）では上蓋１８を省略している。
【００１１】
本体１０は、底壁１１と左右の側壁１２，１３とで外観を区画している。底壁１１の上面は、略前後中間より前側に突設された複数の支持リブ１４と、左右中間に位置して支持リブ１４が設けられている箇所より後側に突設された案内部１５と、案内部１５の両側を一段低くした逃げ部１６と、後側に位置して片側の逃げ部１６の隣に突設された対の保持リブ１７と、後側に位置して保持リブ１７と反対側に突設された掛止突起１０ａなどを有している。
【００１２】
このうち、各支持リブ１４は同じ高さであり、又、左右中間の支持リブ１４は案内部１５に連結されており、物品Ｃを各リブ上に沿って摺動可能に支持する。案内部１５は、支持リブ１４と同じ高さであり、物品Ｃが支持リブ１４から案内部１５上に沿って摺動可能にしている。案内部１５の両側には、前後に延びるガイド溝１５ａが対向して設けられ、スライダー２を両ガイド溝１５ａに沿って摺動可能にする。逃げ部１６は、スライダー２がガイド溝１５ａに後述する軸部２３を嵌合した状態において、スライダー２の一部を逃がしたりスライダー２の軸部２３を支点として上下に揺動可能にする。各保持リブ１７は、間隔を保って対向していると共に、幅方向に貫通した軸孔１７ａをそれぞれ有している。掛止突起１０ａは、付勢手段４である捻りコイルばねの一端４ｂを係止する箇所である。
【００１３】
スライダー２は、図２と図３及び図４の各（ａ）に示されるように、側面視で概略逆Ｌ形をなし、後側が本体２０で逆Ｌ形の垂直部に相当し、前側が挟持部２５で逆Ｌ形の水平部に相当している。そして、本体２０は、両側壁２１と上壁２２とで区画され、内側が前後に空洞状に切り欠かれ、該空洞部に案内部１５を挿入可能となっている。両側壁２１は、下側が円弧状に形成されていると共に、両側内面に対向して突設されてガイド溝１５ａと嵌合する軸部２３と、片側外面にあって軸部２３と同軸線上に突設されたピン２４とを有している。上壁２２は、中央に突設された掛止突起２２ａを有している。掛止突起２２ａは、付勢手段４である捻りコイルばねの他端４ｃを係止する箇所である。
【００１４】
挟持部２５は、両側壁２６と上壁２７及び内側の空洞部に設けられている中間リブ２８とで区画されている。両側壁２６及び中間リブ２８は下側が円弧状に形成されている。そして、挟持部２５は、本体２０がガイド溝１５ａに軸部２３を嵌合した状態で、支持リブ１４から案内部１５上に沿って押し込められてくる物品Ｃを、軸部２３を支点とした揺動を伴って上から弾接することにより案内部１５との間で挟持可能になっている。
【００１５】
カム部材３０は、両保持リブ１７の間に上下に微動可能に配置される大きさであり、後両側に突設された軸部３１と、軸部３１の手前内側を欠肉し該欠肉した外面に設けられた弾性突起３２と、前内側面に設けられている旋回溝３５とを有している。そして、カム部材３０は、両軸部３１が対応する軸孔１７ａに嵌合されることで、保持リブ１７に対し枢支される。弾性突起３２は、縦スリット同士の間に小凸部として設けられており、カム部材３０が軸部３１を介し枢支された状態で弾性突起３２の弾接力に抗して上下に微動されるようにする。
【００１６】
前記した旋回溝３５は、図３（ｃ）に示されるように、概略ハート形の島である凸部３４の周囲に形成されている。具体的には、凸部３４の前側でカム部材３０の前端側を広く開放しかつ凸部３４の上側に沿って延びる導入用誘導溝３５ａと、誘導溝３５ａの後側上下に位置している係止用誘導溝３５ｂ及び解除用誘導溝３５ｄと、両溝３５ｂ，３５ｄの間にあって凸部３４側にある係止溝３５ｃと、誘導溝３５ｄから凸部３４の下側前後に延びる復帰溝３５ｅとを有している。細部的には、図示を省略したが、例えば、旋回溝３５のうち、復帰溝３５ｅと導入用誘導溝３５ａとの境界は、復帰溝３５ｅの方が導入溝３５ａよりも溝底を高くした段差に設定されている。
【００１７】
付勢手段４は、両端４ｂ，４ｃの間の部分に巻線部４ａを形成している捻りコイルばねが用いられているが、単純なコイル形ばねでもよい。すなわち、この付勢手段４は、スライダー２がケース１の後方へ摺動するのに連動して、スライダー２を前方へ押圧付勢する押出用付勢力を増大することと、スライダー２を軸部２３を支点として揺動して挟持部２５と案内部１５との間に物品Ｃを挟持する挟持用付勢力を増大することが必須となる。従って、付勢手段としては、この要件を充足すればよく、例えば、ケース１の底壁１１のうち、案内部１５の後方に掛止突起を設け、圧縮コイルばねを用いて、コイルばねの一端をその掛止突起に係止し、コイルばねの他端をスライダー側の掛止突起２２ａに係止しても差し支えない。なお、図１の付勢手段１は付勢力を解放した状態で示し、図２の付勢手段１は両端４ｂ，４ｃを近づけて付勢力を増大した状態で示している。
【００１８】
（組立）以上のスライダー２、ラッチ手段３を構成しているカム部材３０、付勢手段４は次のような要領でケース１に組み付けられる。図２において、まず、カム部材３０は、保持リブ１７同士の間に配置されると共に、軸孔１７ａに対し軸部３１を嵌合することにより、上記した弾性突起３２の弾性力に抗し軸部３１を支点として上下に微動可能に組み付けられる。スライダー２は、案内部１５に対し本体側軸部２３を対応するガイド溝１５ａに嵌合することで摺動可能に組み付ける。付勢手段４は、例えば、一端４ｂを掛止突起１０ａに係止した状態から、他端４ｃを付勢力に抗して一端４ｂに近づけスライダー側掛止突起２２ａに係止する。すると、スライダー２は、付勢手段４の増大された付勢力により軸部２３を介しガイド溝１５ａの溝前端まで摺動されて図１の突出位置に達する。該突出位置では、付勢手段４が水平方向の付勢力つまりスライダー２を前方へ摺動する力をほぼ使い切っているが、スライダー２が軸部２３を支点として逆時計回り、つまり挟持部２５が案内部１５の上面に弾接する垂直方向の付勢力を受けている。
【００１９】
（作動）以上の収納装置では、図３に示されるように、物品Ｃが出入口１ａからケース１内の支持リブ１４上に沿って押し入れられてくると、スライダー２の挟持部２５の下側に当たる。その後、スライダー２は、物品Ｃの押し力で更に後方へ押されると、図４に示されるように、付勢手段４の水平方向の付勢力を増大しつつ軸部２３を介して案内部１５のガイド溝１５ａに沿って後方へ摺動されて収納位置に達する。同時に、スライダー２は、物品Ｃが案内部１５の上面に対し挟持部２５を持ち上げる、つまり付勢手段４の垂直方向の付勢力に抗し或いは付勢力を増大しつつ軸部２３を支点として時計回りに回動ないしは揺動して、物品Ｃを案内部１５と挟持部２５との間に挟持した状態で保持する。同時に、スライダー２は、後方へ摺動されると、ピン２４が上記したカム部材３０の旋回溝３５のうち誘導溝３５ａ、係止用誘導溝３５ｂに順に入り、スライダー２に対する物品Ｃの押し力を解放したときに、図４（ｃ）のごとく係止溝３５ｃに係止される。この係止により、スライダー２は付勢手段４の付勢力に抗して物品収納位置に係止される。
【００２０】
物品Ｃを使用する場合は、図４（ａ）の収納位置から物品Ｃを再び押し、該押し力を解放する（押した手を離す）。すると、このラッチ手段３では、スライダー２が物品Ｃの押し力で若干後方へ摺動し、それと同期して、ピン２４が上記した係止溝３５ｃから解除用誘導溝３５ｄに達する。その後は、スライダー２が付勢手段４の水平方向の付勢力により軸部２３を介して前方へ自動的に摺動して物品Ｃを引抜可能な突出位置まで押し出す。同時に、ピン２４が復帰溝３５ｅを経て再び誘導溝３５ａに達した後、旋回溝３５から外れる。この状態から、物品Ｃは、スライダー２に作用している付勢手段４の垂直方向の付勢力に抗して、案内部１５と挟持部２５との間から引き抜かれることになる。以上の収納装置では、主部材がスライダー２と付勢手段４及び旋回溝３５を形成しているカム部材３０により、物品Ｃを押し出す機能と収納位置で保持する機能とを得ることができ、その結果、簡易化と大幅なコスト低減を図ることができ、用途拡大に寄与できる。
【００２１】
以上のように、本発明の収納装置は、請求項１で特定される要件を除いて種々変更可能なものである。例えば、ラッチ手段３としては、上記形態に代えて、スライダー２の側面に旋回溝３５を形成すると共に、ケース１側にその旋回溝３５に沿ってトレースするピン部材を揺動可能に支持するようにしてもよい。
【図面の簡単な説明】
【００２２】
【図１】発明形態例の収納装置を模式的に示す概略構成図である。
【図２】図１の収納装置の要部を分解して示す構成図である。
【図３】（ａ）は図１の装置を左右中間部で断面した図、（ｂ）は左右中間からずれた位置で断面した図、（ｃ）はカム部材の旋回溝を示す部分拡大図である。
【図４】（ａ）〜（ｃ）は図３に対応し、かつ図３の状態から物品を収納位置にした状態を示す図である。
【図５】従来の装置構造例を示す説明図である。
【図６】図５の装置細部を示す説明図である。
【符号の説明】
【００２３】
１…ケース（１０は本体、１８は上蓋、１４は支持リブ、１５は案内部）
２…スライダー（２０は本体、２５は挟持部、２３は軸部、２４はピン）
３…ラッチ手段（３０はカム部材、３１は軸部、３５は旋回溝）
４…付勢手段（４ａは巻線部、４ｂは一端、４ｃは他端）
Ｃ…物品
【図１】
0004650766.tif 000002
【図２】
0004650766.tif 000003
【図３】
0004650766.tif 000004
【図４】
0004650766.tif 000005
【図５】
0004650766.tif 000006
【図６】
0004650766.tif 000007